(57)【要約】【課題】セキュリティを高く維持することに対して人物の登録に手間がかかること。【解決手段】本発明の登録システムは、登録者の申請情報を記憶した申請情報記憶手段と、登録者から提示された媒体に含まれる登録者情報を読み込み、当該登録者情報と申請情報記憶手段に記憶された申請情報とが一致するか否かを判定する判定手段と、登録者情報と申請情報とが一致した場合に、登録者の生体情報を取得して、当該生体情報を申請情報に関連付けて登録する登録手段と、を備える。【選択図】図１１
2019075021.tif 000002
【特許請求の範囲】
【請求項１】
登録者の申請情報を記憶した申請情報記憶手段と、
登録者から提示された媒体に含まれる登録者情報を読み込み、当該登録者情報と前記申請情報記憶手段に記憶された前記申請情報とが一致するか否かを判定する判定手段と、
前記登録者情報と前記申請情報とが一致した場合に、登録者の生体情報を取得して、当該生体情報を前記申請情報に関連付けて登録する登録手段と、
を備えた登録システム。
【請求項２】
請求項１に記載の登録システムであって、
前記判定手段は、前記媒体から読み込んだ前記登録者情報に含まれる文字情報と、前記申請情報に含まれる文字情報と、が一致するか否かを判定する、
登録システム。
【請求項３】
請求項１又は２に記載の登録システムであって、
前記判定手段は、さらに、登録者の前記生体情報を取得して、当該生体情報と、前記媒体から読み込んだ前記登録者情報に含まれる情報と、が一致するか否かを判定し、
前記登録手段は、さらに、前記生体情報と前記登録者情報に含まれる情報とが一致した場合に、前記生体情報を前記申請情報に関連付けて登録する、
登録システム。
【請求項４】
請求項１乃至３のいずれかに記載の登録システムであって、
前記判定手段は、さらに、登録者の前記生体情報として顔画像を撮影して、当該撮影した顔画像と、前記媒体から読み込んだ前記登録者情報に含まれる顔画像と、が一致するか否かを判定し、
前記登録手段は、さらに、撮影した顔画像と前記登録者情報に含まれる顔画像とが一致した場合に、撮影した顔画像を前記申請情報に関連付けて登録する、
登録システム。
【請求項５】
請求項１乃至４の何れかに記載の登録システムであって、
前記判定手段は、予め定められた基準により前記媒体が本物か偽物かを判定し、
前記登録手段は、さらに、前記媒体が本物であると判定した場合に、前記生体情報を前記申請情報に関連付けて登録する、
登録システム。
【請求項６】
請求項１乃至５の何れかに記載の登録システムであって、
前記登録手段は、前記申請情報に前記生体情報を関連付けた場合に、登録者から署名情報の入力を受け付けて、当該署名情報を前記申請情報に関連付けて登録する、
登録システム。
【請求項７】
請求項１乃至６のいずれかに記載の登録システムであって、
登録者から入力された前記申請情報を受け付けて前記申請情報記憶手段に記憶すると共に、当該申請情報を識別する申請識別情報を登録者に発行する申請受付手段を備え、
前記判定手段は、登録者から前記申請識別情報の入力を受け付けて、当該申請識別情報に対応する前記申請情報を前記申請情報記憶手段から読み出し、当該申請情報と登録者から提示された前記媒体から読み込んだ前記登録者情報とが一致するか否かを判定する、
登録システム。
【請求項８】
請求項７に記載の登録システムであって、
登録者から前記申請識別情報の入力を受け付けて、当該申請識別情報に対応する前記申請情報に関連付けられた前記生体情報を前記申請情報記憶手段から読み出すと共に、当該読み出した生体情報と、登録者から新たに取得した生体情報と、を照合する照合手段を備えた、
登録システム。
【請求項９】
情報処理装置に、
登録者から提示された媒体に含まれる登録者情報を読み込み、当該登録者情報と記憶されている登録者の申請情報とが一致するか否かを判定する判定手段と、
前記登録者情報と前記申請情報とが一致した場合に、登録者の生体情報を取得して、当該生体情報を前記申請情報に関連付けて登録する登録手段と、
を実現させるためのプログラム。
【請求項１０】
登録者から提示された媒体に含まれる登録者情報を読み込み、当該登録者情報と記憶されている登録者の申請情報とが一致するか否かを判定し、
前記登録者情報と前記申請情報とが一致した場合に、登録者の生体情報を取得して、当該生体情報を前記申請情報に関連付けて登録する、
登録方法。
【請求項１１】
請求項１０に記載の登録方法であって、
登録者の前記生体情報を取得して、当該生体情報と、前記媒体から読み込んだ前記登録者情報に含まれる情報と、が一致するか否かを判定し、
さらに、前記生体情報と前記登録者情報に含まれる情報とが一致した場合に、前記生体情報を前記申請情報に関連付けて登録する、
登録方法。
【請求項１２】
請求項１０又は１１に記載の登録方法であって、
予め定められた基準により前記媒体が本物か偽物かを判定し、
さらに、前記媒体が本物であると判定した場合に、前記生体情報を前記申請情報に関連付けて登録する、
登録方法。
【発明の詳細な説明】
【技術分野】
【０００１】
本発明は、登録システムにかかり、特に、人物の登録を行う登録システムに関する。
【背景技術】
【０００２】
セキュリティの確保が求められる建築物、敷地といったエリアにおいては、入退管理システムが設置され、警戒されることが一般的に実施されている。入退管理システムでは、予めエリアへの入場を許可する人物を登録し、かかる人物の確認を行うことで、エリアの安全性を確保している。
【０００３】
ここで、入退管理システムにて人物の確認を行うために、生体認証システムを組み合わせる場合がある。生体認証システムでは、予め人物の顔写真といった生体情報を登録しておき、かかる登録情報と、エリアに訪れた人物から撮影した顔写真などの生体情報と、の照合を行うことで、人物の入退を管理している。このように生体認証システムを入退管理システムに導入することにより、人物の認証精度の向上や認証処理の高速化によって、さらなるセキュリティの強化や利便性の向上につながっている。
【先行技術文献】
【特許文献】
【０００４】
【特許文献１】特開２０１５−６０４２７号公報
【発明の概要】
【発明が解決しようとする課題】
【０００５】
ところが、入退管理システムに生体認証システムを導入した場合には、事前に人物の登録が必要となる。この場合、事前に人物の生体情報を取得して、人物の情報と関連付け、さらには、特許文献１に記載のようなＩＤカードといった証明書を発行するが、実際に生体情報を取得した人物が正当な者であるか否かは不明である。このため、生体情報を取得する人物が正当な者であるか否かは、提示された証明書などから人手で判断する必要があり、セキュリティを高く維持するためには登録に手間がかかる、という問題が生じる。
【０００６】
このため、本発明の目的は、上述した課題である、セキュリティを高く維持することに対して人物の登録に手間がかかること、を解決することができる登録システムを提供することにある。
【課題を解決するための手段】
【０００７】
本発明の一形態である登録システムは、
登録者の申請情報を記憶した申請情報記憶手段と、
登録者から提示された媒体に含まれる登録者情報を読み込み、当該登録者情報と前記申請情報記憶手段に記憶された前記申請情報とが一致するか否かを判定する判定手段と、
前記登録者情報と前記申請情報とが一致した場合に、登録者の生体情報を取得して、当該生体情報を前記申請情報に関連付けて登録する登録手段と、
を備えた、
という構成をとる。
【０００８】
また、本発明の一形態であるプログラムは、
情報処理装置に、
登録者から提示された媒体に含まれる登録者情報を読み込み、当該登録者情報と記憶されている登録者の申請情報とが一致するか否かを判定する判定手段と、
前記登録者情報と前記申請情報とが一致した場合に、登録者の生体情報を取得して、当該生体情報を前記申請情報に関連付けて登録する登録手段と、
を実現させる、
という構成をとる。
【０００９】
また、本発明の一形態である登録方法は、
登録者から提示された媒体に含まれる登録者情報を読み込み、当該登録者情報と記憶されている登録者の申請情報とが一致するか否かを判定し、
前記登録者情報と前記申請情報とが一致した場合に、登録者の生体情報を取得して、当該生体情報を前記申請情報に関連付けて登録する、
という構成をとる。
【発明の効果】
【００１０】
本発明は、以上のように構成されることにより、セキュリティを高く維持しつつ、登録の手間を抑制することができる登録システムを提供することができる。
【図面の簡単な説明】
【００１１】
【図１】本発明の実施形態１における登録システムの構成を示すブロック図である。
【図２】図１に開示した登録サーバ及び発券機の構成を示すブロック図である。
【図３】図１に開示した登録システムによる動作を示す図である。
【図４】図１に開示した登録システムによる動作を示す図である。
【図５】図１に開示した登録システムによる動作を示す図である。
【図６】図１に開示した登録システムによる動作を示す図である。
【図７】図１に開示した登録システムによる動作を示すフローチャートである。
【図８】図１に開示した登録システムによる動作を示すフローチャートである。
【図９】図１に開示した登録システムによる動作を示すフローチャートである。
【図１０】図１に開示した登録システムによる動作を示すフローチャートである。
【図１１】本発明の実施形態２における登録システムの構成を示すブロック図である。
【発明を実施するための形態】
【００１２】
＜実施形態１＞
本発明の第１の実施形態を、図１乃至図１０を参照して説明する。図１乃至図２は、登録システムの構成を説明するための図である。図３乃至図１０は、登録システムの動作を説明するための図である。
【００１３】
［構成］
本発明における登録システムは、データセンターやオフィス、イベント会場など、セキュリティの確保が求められる特定エリアＡへの入場を許可する人物を登録するためのシステムである。具体的に、本実施形態における登録システムは、特定エリアＡへの入場を希望する登録者Ｐの申請を受け付けて、実際に特定エリアＡ近辺の登録場所に訪れた登録者Ｐの認証を行って、許可証を発行する処理を行う。そして、登録者Ｐは、許可書を利用して特定エリアＡに入場する。
【００１４】
図１に示すように、登録システムは、登録者が操作するユーザ端末にネットワークＮを介して接続された登録サーバ２と、許可証を発行する発券機３と、特定エリアＡの入退口に設置される認証ゲートを含むセキュリティシステム４と、を備えている。以下、各構成について詳述する。
【００１５】
上記ユーザ端末１は、特定エリアＡへの入場を登録者Ｐが操作するパーソナルコンピュータと行った情報処理端末である。ユーザ端末１は、ネットワークＮを介して登録サーバ２にアクセスし、当該登録サーバ２から送信される登録画面上で、申請情報の入力を受け付けて、登録サーバ２に送信する。
【００１６】
また、ユーザ端末１は、申請情報の入力に応じて登録サーバ２から発行された２次元バーコードといった申請識別情報を受信し、かかる申請識別情報を表示したり印刷するなど出力する。なお、ユーザ端末１は、例えば、登録者Ｐが所属する会社などの組織で使用するコンピュータであるが、スマートフォンなどいかなる情報処理端末でもよい。
【００１７】
上記登録サーバ２は、演算装置や記憶装置を備えた、１台又は複数台の情報処理装置にて構成されている。そして、登録サーバ２は、図２に示すように、演算装置がプログラムを実行することで構築された申請受付部２１（申請受付手段）を備えている。また、登録サーバ２は、記憶装置に形成された登録者情報記憶部２２（申請情報記憶手段）を備えている。
【００１８】
上記申請受付部２１は、ユーザ端末１からのアクセスに応じて、当該ユーザ端末１に対して申請情報の入力画面を送信する。申請情報の入力画面は、氏名、会社名、電話番号、メールアドレス、特定エリア内の入場場所、入場目的、持ち込み品、などの申請情報の入力欄を有する。申請受付部２１は、申請情報の入力画面にユーザ端末１にて入力された情報を受け付けて、登録者Ｐ毎に申請情報として登録者情報記憶部２２に記憶する。
【００１９】
さらに、申請受付部２１は、受け付けた申請情報毎に、当該申請情報を識別する申請識別情報を発行して、申請情報に関連付けて記憶する。これに加え、申請受付部２１は、発行した申請識別情報を、申請情報を入力したユーザ端末１に対して送信する。例えば、申請識別情報は、本実施形態では２次元バーコードであるが、数字や記号の羅列からなる情報など、いかなる情報であってもよい。
【００２０】
上記発券機３は、演算装置や記憶装置を備えた情報処理装置にて構成されている。これに加え、発券機３は、図２に示すように、カメラ３１と、タッチパネル３２と、バーコードリーダ３３と、証明書リーダ３４と、発券部３５と、を備える。そして、発券機３は、演算装置がプログラムを実行することで構築された、読取り部３６と、判定部３７（判定手段）と、撮影部３８と、登録部３９（登録手段）と、を備えている。なお、発券機３が備える機能は、上述した登録サーバ２が備えていてもよく、あるいは、発券機３と接続された別の１台又は複数台の情報処理装置が備えていてもよい。
【００２１】
上記カメラ３１は、特定エリアＡに訪れ、発券機３の前に位置する登録者Ｐの顔画像を撮影するためのものである。また、上記タッチパネル３２は、タッチ式による入力装置の機能を有すると共に、情報を表示する表示装置としての機能も有する。例えば、タッチパネル３２は、後述するように、登録者Ｐから登録の際に必要な操作の入力を受け付けたり、登録者Ｐの署名の入力を受け付ける。
【００２２】
上記バーコードリーダ３３は、登録者Ｐが印刷したりスマートフォンなどに表示した申請識別情報としての２次元バーコードを読み取る。なお、本実施形態では、申請識別情報に２次元バーコードを用いているが、数字や記号の羅列と行った情報を申請識別情報として使用する場合には、タッチパネル３２から申請識別情報の入力を受け付けてもよい。
【００２３】
上記証明書リーダ３４は、特定エリアＡに訪れた登録者Ｐから提示された免許証といった証明書の媒体の入力を受け、当該媒体に含まれる登録者情報を読み取る機能を有する。例えば、証明書の媒体が免許証である場合には、登録者情報として、免許証に表示された氏名や住所などの文字情報や顔写真をスキャンして読み取る。但し、証明書リーダ３４は、証明書の媒体に登録者情報が記憶された記憶装置が埋め込まれている場合には、かかる記憶装置から登録者情報を読み取ってもよい。なお、証明書の媒体は、例えば、パスポートや保険証などいかなるものであってもよい。
【００２４】
また、証明書リーダ３４は、登録者Ｐから提示された証明書の媒体の真贋を判定するための情報も読み取る機能を有する。例えば、証明書の媒体が免許証である場合には、その表面の画像を読み取り、シールが貼られていたり文字が修正されていないか、といった偽造の有無を判断するために必要な情報を取得する。また、証明書リーダ３４は、証明書の媒体に埋め込まれた記憶装置から、当該記憶装置に記憶された登録者情報の改ざんがないかといったことを判断するために必要な情報を取得してもよい。
【００２５】
上記発券部３５は、後述するように正当な登録者Ｐであると判定された登録者Ｐに対して、特定エリアＡへの入場を許可する許可証を発行する。許可証は、例えば、特定エリアＡのセキュリティシステム４にて認証されるものであり、認証ゲートで読み取られる登録者Ｐを特定する情報が記憶されていたり、顔写真が印刷されたものである。但し、発券部３５は、いかなる許可証を発行してもよい。
【００２６】
上記読取り部３６は、まず、上記バーコードリーダ３３を介して、登録者Ｐから提示された２次元バーコードを読み取り、かかる２次元バーコードから申請識別情報を抽出し、判定部３７に通知する。なお、読取り部３６は、タッチパネル３２から申請識別情報が入力された場合には、当該タッチパネル３２に入力された情報を受け付けて、判定部３７に通知する。
【００２７】
また、読取り部３６は、上記証明書リーダ３４を介して、登録者Ｐから提示された証明書の媒体に表示された氏名や住所などの文字情報や顔写真をスキャンして読み取り、判定部３７に渡す。また、読取り部３６は、上記証明書リーダ３４を介して、登録者Ｐから提示された証明書の媒体の真贋を判定するための情報も読み取る機能を有する。例えば、証明書の媒体が免許証である場合には、その表面の画像を読み取り、シールが貼られていたり文字が修正されていないか、といった偽造の有無を判断するために必要な情報を取得する。さらに、読取り部３６は、上記タッチパネル３２を介して、登録者Ｐの署名の入力を受け付けて、登録部３９に渡す。
【００２８】
上記判定部３７は、まず、上述した読取り部３６にて２次元バーコードから読み取った申請識別情報の通知を受けると、登録サーバ２の登録者情報記憶部２２内から、申請識別情報に対応する申請情報を読み出す。そして、判定部３７は、読み出した申請情報内の氏名や住所の文字情報と、上述した読取り部３６にて証明書の媒体から読み込んだ登録者情報内の氏名や住所の文字情報と、が一致するか否かを判定する。このとき、判定部３７は、氏名のみ、住所のみ、氏名及び住所、あるいは、他の情報、が一致するか否かを判定してもよい。
【００２９】
そして、判定部３７は、申請情報と証明書内の登録者情報とが一致する場合には、その旨を撮影部３８に通知し、登録者Ｐの顔画像の撮影を依頼する。撮影部３８は、撮影した顔画像を判定部３７に渡す。
【００３０】
また、判定部３７は、撮影部３８から受け取った撮影した顔画像と、証明書から読み込んだ登録者情報に含まれる顔画像と、が一致するか否かを判定する。このとき、顔画像が一致するか否かの判定処理は、例えば以下のようにして行う。まず、各顔画像から判定に必要な特徴量を生成する。そして、これら特徴量の類似度といったスコアを算出し、かかるスコアがしきい値よりも高い場合に、顔画像が一致すると判定する。なお、顔画像が一致するか否かの判定処理はいかなる方法で行われてもよい。
【００３１】
さらに、判定部３７は、読取り部３６にて証明書から読み取った当該証明書の媒体の真贋を判定するための情報から、証明書が本物であるか偽物であるかを判定する。例えば、読取り部３６にて読み取った証明書の媒体の情報から、証明書の表面にシールが貼られていたり、文字が改ざんされた痕跡があるなど、予め定められた基準を満たす場合に証明書が偽物であると判定し、それ以外は、本物であると判定する。
【００３２】
判定部３７は、上述した判定結果により、申請した登録者Ｐと、発券機３に対して登録手続を行っている登録者Ｐと、が一致する場合に、読取り部３６と登録部３９に対して登録処理の指示を行う。このとき、判定部３７は、上述した判定処理において、申請情報と証明書内の氏名などの文字情報が一致した場合に登録処理を指示してもよく、これに加え、撮影した顔画像と証明書から読み込んだ顔画像とが一致する場合に登録処理を指示してもよい。また、判定部３７は、文字情報が一致、及び／又は、顔画像が一致することに加え、上述したように証明書が本物であると判定した場合に登録処理を指示してもよい。
【００３３】
登録処理の指示を受けた読取り部３６は、予め用意された特定エリアＡへの入場に関する誓約事項をタッチパネル３２に表示し、当該タッチパネル３２を介して登録者Ｐから入力された誓約事項に同意する旨の署名情報を受け取り、登録部３９に渡す。
【００３４】
登録指示を受けた登録部３９は、登録者Ｐの特定エリアＡへの入場を許可する登録処理と、許可証の発行処理を行う。具体的に、登録部３９は、まず、登録サーバ２の登録者情報記憶部２２に記憶されている登録者Ｐの申請情報に、特定エリアＡへの入場許可情報を関連付けて記憶する。これに加え、登録部３９は、登録サーバ２の登録者情報記憶部２２に記憶されている登録者Ｐの申請情報に、撮影部３８で撮影した登録者Ｐの顔画像と、登録者Ｐから入力された署名情報も、関連付けて登録する。
【００３５】
また、登録部３９は、許可証Ｄ３に組み込まれた記憶媒体に、特定エリアＡへの入場が許可された登録者Ｐの識別情報や氏名、顔画像などの情報を記憶して、当該許可証Ｄ３を発行し、発券部３５から排出する。
【００３６】
上記セキュリティシステム４は、特定エリアＡの入退口に設置された認証ゲートを備えており、当該認証ゲートは登録サーバ２に接続されている。そして、認証ゲートは、許可証Ｄ３に記憶された情報を読み取る機能を有しており、読み取った情報によって特定される登録者Ｐが特定エリアＡへの入場を許可されているかを、登録サーバ２に問い合わせる。許可された登録者Ｐである場合には、ゲートを開く。
【００３７】
なお、上記判定部３７は、上記読取り部３６にて２次元バーコードに対応する申請識別情報を読み取った際に、当該申請識別情報に対応する申請情報を登録サーバ２の登録者情報記憶部２２内から読み出すが、当該申請情報に既に顔画像が登録されている場合には、上述した判定を行わなくてもよい。つまり、２次元バーコードを提示した登録者Ｐが過去に登録したことのある人物である場合には、上述した判定は行わない。代わりに、判定部３７は、この登録者Ｐが真に過去に登録した人物であるかを判定すべく、撮影部３８を介して顔画像を撮影し、申請情報に関連付けられて登録されている顔画像と一致するか否かを判定する（照合手段）。そして、判定部３７は、顔画像が一致する場合には、登録部３９に対して登録処理の指示を行い、これを受けた登録部３９は、許可証Ｄ３の発行処理を行う。
【００３８】
なお、上記では、カメラ３１にて登録者の顔画像を撮影し、申請情報と関連付けて登録しているが、顔画像の代わりに指紋などの他の生体情報を取得し、かかる生体情報を申請情報と関連付けて登録してもよい。
【００３９】
［動作］
次に、上述した登録システムの動作を、図３乃至図６の動作説明図、及び、図７乃至図１０のフローチャートを参照して説明する。
【００４０】
まず、登録者Ｐは、ユーザ端末１を介して登録サーバ２にアクセスし、登録サーバ２からユーザ端末１に表示された登録画面に対して、申請情報の入力を行う（図３の矢印Ｙ１）。登録サーバ２は、登録者Ｐから入力された申請情報を受け付けて記憶する（図７のステップＳ１）。このとき、登録サーバ２は、申請情報を識別する申請識別情報を発行して関連付けて登録し（図７のステップＳ２）、申請識別情報に対応する２次元バーコードＤ１を発行してユーザ端末１に送信する（図３の矢印Ｙ２，図７のステップＳ３）。登録者Ｐは、受信した２次元バーコードＤ１を紙媒体に印刷したり、携帯端末に表示するなどして持ち歩くことができる。
【００４１】
その後、登録者Ｐは、２次元バーコードＤ１と免許証といった証明書Ｄ２を所持して、特定エリアＡへの入場登録を行う登録場所を訪れる（図４の矢印Ｙ３）。そして、登録者Ｐは、発券機３のバーコードリーダ３３に対して２次元バーコードＤ１を提示し（図４の矢印Ｙ４）、また、証明書リーダ３４に証明書Ｄ２を提示する（図４の矢印Ｙ５）。
【００４２】
すると、発券機３は、まず２次元バーコードＤ１を読み取り（図８のステップＳ１１）、かかる２次元バーコードから申請識別情報を抽出し、この申請識別情報に対応する申請情報を登録サーバ２が読み込む（図８のステップＳ１２）。また、発券機３は、証明書に印字されている文字情報を読み取る（図８のステップＳ１３）。そして、発券機３は、申請情報に含まれる情報と、証明書から読み取った情報と、が一致するか否かを判定する（図８のステップＳ１４）。このとき、例えば、氏名が一致するか否かを判定する。
【００４３】
発券機３は、申請情報と証明書との情報が一致すると判定すると（図８のステップＳ１４でＹｅｓ）、証明書から読み取った情報に基づいて、証明書が本物であるか偽物であるかを判定する（図８のステップＳ１５）。そして、発券機３は、証明書が本物であると判定すると（図８のステップＳ１５でＹｅｓ）、登録者Ｐの顔画像を撮影する（図５の矢印Ｙ６，図８のステップＳ１６）。また、発券機３は、特定エリアＡへの入場に関する誓約事項をタッチパネル３２に表示し、登録者Ｐから入力された誓約事項に同意する旨の署名情報を受け付ける（図５の矢印Ｙ７，図８のステップＳ１７）。
【００４４】
その後、発券機３は、登録者Ｐの特定エリアＡへの入場を許可する登録処理と、許可証Ｄ３の発行処理を行う。発券機３は、登録サーバ２に登録されている申請情報に、入場許可情報と顔画像を関連付けて記憶する（図８のステップＳ１８）。これに加え、発券機３は、特定エリアＡへの入場の許可証Ｄ３を発行する（図５の矢印Ｙ８，図８のステップＳ１９）。
【００４５】
これにより、登録者Ｐは、発行された許可証Ｄ３を持って、特定エリアＡの認証ゲートに移動し（図６の矢印Ｙ８）、当該許可証Ｄ３を提示することで（図６の矢印Ｙ９）、特定エリアＡに入場することができる。
【００４６】
なお、上述した発券機３による許可証Ｄ３を発行するまでの処理は、図９のフローチャートのように行ってもよい。まず、発券機３は、上述した図８のステップＳ１１〜Ｓ１４までと同様に、申請情報と証明書とに含まれる氏名と行った文字情報が一致するか否かを判定する（図９のステップＳ２１〜Ｓ２４）。その後、発券機３は、申請情報と証明書との文字情報が一致すると判定すると（図９のステップＳ１５でＹｅｓ）、続いて登録者Ｐの顔画像を撮影し（図９のステップＳ２５）、当該撮影した顔画像と証明書の顔画像とが一致するか否かを判定する（図９のステップＳ２６）。なお、発券機３は証明書の文字情報を読み取る段階で（ステップＳ２３）、当該証明書に表示されている顔写真も読み取っておく。上記かかる判定で顔画像が一致すると判定されると（図９のステップＳ２６でＹｅｓ）、上述同様に、証明書が本物であるかを判定し（図９のステップＳ２７）、登録者Ｐから誓約事項の署名をもらい（図９のステップＳ２８）、登録者Ｐの登録処理と許可証の発行を行う（図９のステップＳ２９，Ｓ３０）。
【００４７】
さらに、発券機３は、図１０のフローチャートのように許可証Ｄ３を発行してもよい。まず、発券機３は、登録者Ｐから提示された２次元バーコードＤ１を読み取り（図１０のステップＳ４１）、かかる２次元バーコードから申請識別情報を抽出し、この申請識別情報に対応する申請情報を登録サーバ２が読み込む（図１０のステップＳ４２）。このとき、申請情報に既に顔画像が登録されている場合には（図１０のステップＳ４３でＹｅｓ）、２次元バーコードを提示した登録者Ｐが過去に登録したことのある人物である。このため、発券機３は、登録者Ｐの顔画像を撮影し（図１０のステップＳ４４）、撮影した顔画像が、申請情報に関連付けられて登録されている顔画像と一致するか否かを判定する（図１０のステップＳ４５）。そして、発券機３は、顔画像が一致する場合には（図１０のステップＳ４５でＹｅｓ）、許可証Ｄ３の発行処理を行う（図１０のステップＳ４６）。
【００４８】
なお、上述した動作説明では、発券機３は、証明書が本物である場合を許可証Ｄ３の発行条件としているが、証明書が本物であるか否かの判定を行わずに、他の判定結果に応じて許可証Ｄ３を発行してもよい。
【００４９】
以上により、本発明の登録システムによると、まず、登録者の生体情報の登録を容易に行うことができる。これに加え、申請した者と登録する者との一致を判定しているため、第三者によるなりすましを抑制でき、セキュリティのさらなる向上を図ることができる。その結果、セキュリティを高く維持しつつ、登録の手間を抑制することができる。
【００５０】
＜実施形態２＞
次に、本発明の第２の実施形態を、図１１を参照して説明する。図１１は、実施形態２における登録システムの構成を示すブロック図である。なお、本実施形態では、実施形態１で説明した登録システムの構成の概略を示している。
【００５１】
図１１に示すように、本実施形態おける登録システム１００は、
登録者の申請情報を記憶した申請情報記憶手段１１０と、
登録者から提示された媒体に含まれる登録者情報を読み込み、当該登録者情報と前記申請情報記憶手段に記憶された前記申請情報とが一致するか否かを判定する判定手段１２０と、
前記登録者情報と前記申請情報とが一致した場合に、登録者の生体情報を取得して、当該生体情報を前記申請情報に関連付けて登録する登録手段１３０と、
を備える。
【００５２】
上記発明によると、まず、登録システムは、例えば、インターネットを介して予め登録者から入力された申請情報を記憶している。そして、登録システムは、登録場所を訪れた登録者から免許証など登録者を証明する証明書の媒体の提示を受け、当該媒体に含まれる登録者情報を読み込む。そして、読み込んだ登録者情報と、記憶されている登録者による申請情報と、が一致するか否かを判定する。媒体から読み込んだ登録者情報と事前の申請情報とが一致している場合には、登録場所を訪れている登録者の顔画像といった生体情報を取得して、当該生体情報に登録者の申請情報を関連付けて登録する。そして、申請情報に関連付けられて登録された生体情報は、例えば、後に登録者の認証に利用される。
【００５３】
以上により、本発明の登録システムによると、まず、登録者の生体情報の登録を容易に行うことができる。これに加え、申請した者と登録する者との一致を判定しているため、第三者によるなりすましを抑制でき、セキュリティのさらなる向上を図ることができる。その結果、セキュリティを高く維持しつつ、登録の手間を抑制することができる。
【００５４】
＜付記＞
上記実施形態の一部又は全部は、以下の付記のようにも記載されうる。以下、本発明における登録システム、プログラム、登録方法の構成の概略を説明する。但し、本発明は、以下の構成に限定されない。
【００５５】
（付記１）
登録者の申請情報を記憶した申請情報記憶手段と、
登録者から提示された媒体に含まれる登録者情報を読み込み、当該登録者情報と前記申請情報記憶手段に記憶された前記申請情報とが一致するか否かを判定する判定手段と、
前記登録者情報と前記申請情報とが一致した場合に、登録者の生体情報を取得して、当該生体情報を前記申請情報に関連付けて登録する登録手段と、
を備えた登録システム。
【００５６】
上記発明によると、まず、登録システムは、例えば、インターネットを介して予め登録者から入力された申請情報を記憶している。そして、登録システムは、登録場所を訪れた登録者から免許証など登録者を証明する証明書の媒体の提示を受け、当該媒体に含まれる登録者情報を読み込む。そして、読み込んだ登録者情報と、記憶されている登録者による申請情報と、が一致するか否かを判定する。媒体から読み込んだ登録者情報と事前の申請情報とが一致している場合には、登録場所を訪れている登録者の顔画像といった生体情報を取得して、当該生体情報に登録者の申請情報を関連付けて登録する。そして、申請情報に関連付けられて登録された生体情報は、例えば、後に登録者の認証に利用される。
【００５７】
以上により、本発明の登録システムによると、まず、登録者の生体情報の登録を容易に行うことができる。これに加え、申請した者と登録する者との一致を判定しているため、第三者によるなりすましを抑制でき、セキュリティのさらなる向上を図ることができる。その結果、セキュリティを高く維持しつつ、登録の手間を抑制することができる。
【００５８】
（付記２）
付記１に記載の登録システムであって、
前記判定手段は、前記媒体から読み込んだ前記登録者情報に含まれる文字情報と、前記申請情報に含まれる文字情報と、が一致するか否かを判定する、
登録システム。
【００５９】
（付記３）
付記１又は２に記載の登録システムであって、
前記判定手段は、さらに、登録者の前記生体情報を取得して、当該生体情報と、前記媒体から読み込んだ前記登録者情報に含まれる情報と、が一致するか否かを判定し、
前記登録手段は、さらに、前記生体情報と前記登録者情報に含まれる情報とが一致した場合に、前記生体情報を前記申請情報に関連付けて登録する、
登録システム。
【００６０】
（付記４）
付記１乃至３のいずれかに記載の登録システムであって、
前記判定手段は、さらに、登録者の前記生体情報として顔画像を撮影して、当該撮影した顔画像と、前記媒体から読み込んだ前記登録者情報に含まれる顔画像と、が一致するか否かを判定し、
前記登録手段は、さらに、撮影した顔画像と前記登録者情報に含まれる顔画像とが一致した場合に、撮影した顔画像を前記申請情報に関連付けて登録する、
登録システム。
【００６１】
上記発明によると、登録システムは、申請情報に含まれる名前などの文字情報と、登録者が提示した証明書といった媒体に印刷されて含まれる文字情報と、が一致する場合に、登録者の顔画像といった生体情報を、申請情報を関連付けて登録する。このとき、場合によっては、登録者が提示した証明書といった媒体に印刷されるなどすることで含まれた顔画像などの情報と、実際に訪れた登録者から取得した顔画像などの生体情報と、が一致する場合に、登録者の顔画像といった生体情報を、申請情報を関連付けて登録してもよい。これにより、容易かつ正確に申請した者と登録する者との一致を判定でき、登録の手間を抑制しつつ、さらなるセキュリティの向上を図ることができる。
【００６２】
（付記５）
付記１乃至４の何れかに記載の登録システムであって、
前記判定手段は、予め定められた基準により前記媒体が本物か偽物かを判定し、
前記登録手段は、さらに、前記媒体が本物であると判定した場合に、前記生体情報を前記申請情報に関連付けて登録する、
登録システム。
【００６３】
上記発明によると、登録システムは、上述したように、媒体に含まれる登録者情報と申請情報とが一致することに加えて、登録者から提示された媒体が本物であると判定された場合に、生体情報を申請情報に関連付けて登録する。これにより、容易かつより正確に申請した者と登録する者との一致を判定でき、登録の手間を抑制しつつ、さらなるセキュリティの向上を図ることができる。
【００６４】
（付記６）
付記１乃至５の何れかに記載の登録システムであって、
前記登録手段は、前記申請情報に前記生体情報を関連付けた場合に、登録者から署名情報の入力を受け付けて、当該署名情報を前記申請情報に関連付けて登録する、
登録システム。
【００６５】
上記発明によると、登録システムは、生体情報を登録した登録者から、署名情報の入力を受け付けて登録する。これにより、登録者から容易に署名を得て登録することができ、登録の手間を抑制しつつ、さらなるセキュリティの向上を図ることができる。
【００６６】
（付記７）
付記１乃至６のいずれかに記載の登録システムであって、
登録者から入力された前記申請情報を受け付けて前記申請情報記憶手段に記憶すると共に、当該申請情報を識別する申請識別情報を登録者に発行する申請受付手段を備え、
前記判定手段は、登録者から前記申請識別情報の入力を受け付けて、当該申請識別情報に対応する前記申請情報を前記申請情報記憶手段から読み出し、当該申請情報と登録者から提示された前記媒体から読み込んだ前記登録者情報とが一致するか否かを判定する、
登録システム。
【００６７】
上記発明によると、登録システムは、まずインターネット上などから登録者の申請情報を受け付けて登録すると共に、当該申請情報を識別するバーコードなどの申請識別情報を発行する。そして、登録者は、登録場所に訪れて申請識別情報を提示することで、登録システムは事前に登録された申請情報を読み出す。その後は、上述同様に、申請情報と登録者の媒体に記憶された登録情報との一致を判定し、登録者の生体情報の登録を行う。これにより、登録者は、事前に遠隔地から申請情報の登録ができるため、登録が容易となる。
【００６８】
（付記８）
付記７に記載の登録システムであって、
登録者から前記申請識別情報の入力を受け付けて、当該申請識別情報に対応する前記申請情報に関連付けられた前記生体情報を前記申請情報記憶手段から読み出すと共に、当該読み出した生体情報と、登録者から新たに取得した生体情報と、を照合する照合手段を備えた、
登録システム。
【００６９】
上記発明によると、登録システムは、既に申請情報に登録者の生体情報が登録されている場合には、登録場所に訪れた登録者の生体情報を新たに取得し、登録されている生体情報と新たに取得した生体情報との照合を行う。これにより、既に登録されている登録者の認証を容易に行うことができる。
【００７０】
（付記９）
情報処理装置に、
登録者から提示された媒体に含まれる登録者情報を読み込み、当該登録者情報と記憶されている登録者の申請情報とが一致するか否かを判定する判定手段と、
前記登録者情報と前記申請情報とが一致した場合に、登録者の生体情報を取得して、当該生体情報を前記申請情報に関連付けて登録する登録手段と、
を実現させるためのプログラム。
【００７１】
（付記９．１）
付記９に記載のプログラムであって、
前記判定手段は、さらに、登録者の前記生体情報を取得して、当該生体情報と、前記媒体から読み込んだ前記登録者情報に含まれる情報と、が一致するか否かを判定し、
前記登録手段は、さらに、前記生体情報と前記登録者情報に含まれる情報とが一致した場合に、前記生体情報を前記申請情報に関連付けて登録する、
プログラム。
【００７２】
（付記９．２）
付記９又は９．１に記載のプログラムであって、
前記判定手段は、予め定められた基準により前記媒体が本物か偽物かを判定し、
前記登録手段は、さらに、前記媒体が本物であると判定した場合に、前記生体情報を前記申請情報に関連付けて登録する、
プログラム。
【００７３】
（付記９．３）
付記９乃至９．２のいずれかに記載のプログラムであって、
前記登録手段は、前記申請情報に前記生体情報を関連付けた場合に、登録者から署名情報の入力を受け付けて、当該署名情報を前記申請情報に関連付けて登録する、
プログラム。
【００７４】
（付記９．４）
付記９乃至９．３のいずれかに記載のプログラムであって、
前記情報処理装置に、さらに、登録者から入力された前記申請情報を受け付けて記憶すると共に、当該申請情報を識別する申請識別情報を登録者に発行する申請受付手段を実現させ、
前記判定手段は、登録者から前記申請識別情報の入力を受け付けて、当該申請識別情報に対応する前記申請情報を読み出し、当該申請情報と登録者から提示された前記媒体から読み込んだ前記登録者情報とが一致するか否かを判定する、
プログラム。
【００７５】
（付記９．５）
付記９．４に記載のプログラムであって、
情報処理装置に、さらに、登録者から前記申請識別情報の入力を受け付けて、当該申請識別情報に対応する前記申請情報に関連付けられた前記生体情報を読み出すと共に、当該読み出した生体情報と、登録者から新たに取得した生体情報と、を照合する照合手段を実現させる、
ためのプログラム。
【００７６】
（付記１０）
登録者から提示された媒体に含まれる登録者情報を読み込み、当該登録者情報と記憶されている登録者の申請情報とが一致するか否かを判定し、
前記登録者情報と前記申請情報とが一致した場合に、登録者の生体情報を取得して、当該生体情報を前記申請情報に関連付けて登録する、
登録方法。
【００７７】
（付記１１）
付記１０に記載の登録方法であって、
登録者の前記生体情報を取得して、当該生体情報と、前記媒体から読み込んだ前記登録者情報に含まれる情報と、が一致するか否かを判定し、
さらに、前記生体情報と前記登録者情報に含まれる情報とが一致した場合に、前記生体情報を前記申請情報に関連付けて登録する、
登録方法。
【００７８】
（付記１２）
付記１０又は１１に記載の登録方法であって、
予め定められた基準により前記媒体が本物か偽物かを判定し、
さらに、前記媒体が本物であると判定した場合に、前記生体情報を前記申請情報に関連付けて登録する、
登録方法。
【００７９】
（付記１２．１）
付記１０乃至１２のいずれかに記載の登録方法であって、
前記申請情報に前記生体情報を関連付けた場合に、登録者から署名情報の入力を受け付けて、当該署名情報を前記申請情報に関連付けて登録する、
登録方法。
【００８０】
（付記１２．２）
付記１０乃至１２．１のいずれかに記載の登録方法であって、
さらに、登録者から入力された前記申請情報を受け付けて記憶すると共に、当該申請情報を識別する申請識別情報を登録者に発行し、
登録者から前記申請識別情報の入力を受け付けて、当該申請識別情報に対応する前記申請情報を読み出し、当該申請情報と登録者から提示された前記媒体から読み込んだ前記登録者情報とが一致するか否かを判定する、
登録方法。
【００８１】
（付記１２．３）
付記１２．２に記載の登録方法であって、
登録者から前記申請識別情報の入力を受け付けて、当該申請識別情報に対応する前記申請情報に関連付けられた前記生体情報を読み出すと共に、当該読み出した生体情報と、登録者から新たに取得した生体情報と、を照合する、
登録方法。
【００８２】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００８３】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００８４】
１  ユーザ端末
２  登録サーバ
２１  申請受付部
２２  登録者情報記憶部
３  発券機
３１  カメラ
３２  タッチパネル
３３  バーコードリーダ
３４  証明書リーダ
３５  発券部
３６  読取り部
３７  判定部
３８  撮影部
３９  登録部
４  セキュリティシステム
Ａ  特定エリア
Ｎ  ネットワーク
Ｐ  登録者
Ｄ１  ２次元バーコード
Ｄ２  証明書
Ｄ３  許可証
【図１】
2019075021.tif 000003
【図２】
2019075021.tif 000004
【図３】
2019075021.tif 000005
【図４】
2019075021.tif 000006
【図５】
2019075021.tif 000007
【図６】
2019075021.tif 000008
【図７】
2019075021.tif 000009
【図８】
2019075021.tif 000010
【図９】
2019075021.tif 000011
【図１０】
2019075021.tif 000012
【図１１】
2019075021.tif 000013